(57)【要約】【課題】  自分自身移動の際に発生するエネルギにより、自家発電及び蓄電で要するエネルギを供給して、環境保護の要求に合うワイヤレスマウスを提供する。【解決手段】  ワイヤレスマウスは、ケーシングと制御装置と充電電池と発電装置とを含む。この制御装置は、このケーシング内に設けられこの制御装置は、このケーシングの位置を検出し、電子信号を発生するコントローラーと、この電子信号を無線信号に変換するコンバータと、この無線信号を発信するアンテナとを含む。この充電電池はこのケーシング内に設けられ電力をこの制御装置に供給する。この発電装置はこのケーシング内に設けられこの発電装置はこの充電電池に電気的に接続するリニア発電機を備える。【選択図】図３
2006340453.tif 000002
【特許請求の範囲】
【請求項１】
ケーシングと、
前記ケーシング内に設けられ、前記ケーシングの位置を検出し電子信号を発生するコントローラーと、前記電子信号を無線信号に変換するコンバータと、前記無線信号を発信するアンテナとを備える制御装置と、
前記ケーシング内に設けられ、電力を前記制御装置に供給する充電電池と、
前記ケーシング内に設けられ、該充電電池に電気的に接続するリニア発電機を備える発電装置とを含むことを特徴とするワイヤレスマウス。
【請求項２】
前記コントローラーは、検出ユニットとエンコーダーユニットを備えることを特徴とする請求項１に記載のワイヤレスマウス。
【請求項３】
前記検出ユニットは、機械式検出ユニットであることを特徴とする請求項２に記載のワイヤレスマウス。
【請求項４】
前記検出ユニットは、光学式検出ユニットであることを特徴とする請求項２に記載のワイヤレスマウス。
【請求項５】
前記制御装置は、さらに該エンコーダーユニットに電気的に接続するスイッチ装置を含むことを特徴とする請求項１に記載のワイヤレスマウス。
【請求項６】
前記リニア発電機は、巻き線状のコイルと、プレートの磁石とを含むことを特徴とする請求項１に記載のワイヤレスマウス。
【請求項７】
前記発電装置は、さらに、リニア発電機に電気的に接続される整流器を含むことを特徴とする請求項１に記載のワイヤレスマウス。
【請求項８】
前記整流器はブリッジ整流器であることを特徴とする請求項７に記載のワイヤレスマウス。
【請求項９】
前記発電装置は、さらに一端が整流器に電気的に接続され、他端が充電電池に電気的に接続されるレギュレータを含むことを特徴とする請求項７に記載のワイヤレスマウス。
【請求項１０】
前記レギュレータは、抵抗器とコンデンサーを含み、その中、該抵抗器の一端が整流器に接続され、他端が充電電池に接続され、コンデンサーの一端が整流器に接続され、他端がグランドに接続されることを特徴とする請求項９に記載のワイヤレスマウス。
【発明の詳細な説明】
【技術分野】
【０００１】
本発明は、ワイヤレスマウスに関し、とくに、自分自身移動の際に発生するエネルギで、自家発電及び蓄電して必要とする電力を供給するワイヤレスマウスに関するものである。
【背景技術】
【０００２】
マウスの発明より、コンピューターの操作がより容易になる。マウスのケーブルよるユーザの操作不便を改善するために、ワイヤレスマウスのデザインが発明される。ワイヤレスマウスの作動は、電力で無線転送モジュールより電子信号をコンピューターに転送する必要がある。通常、ワイヤレスマウスに電池を内蔵して電力の消費を維持する。
しかし、頻繁に電池を交換すると、ユーザに極めて大きな不便さや無駄な支出をもたらすことになる。また、廃棄の電池も資源浪費や環境の汚染になる。
【０００３】
前記欠点を改善するために、米国特許第６６８６９０３号に発電及び蓄電可能なワイヤレスマウスが提案される。図１を参照すると、この従来の技術は、ボール１２３と、このボール１２３を縦方向に押さえ、このワイヤレスマウスの横方向移動分量を検出する第１のローラー１２５と、このボール１２３を横方向に押さえ、このワイヤレスマウスの縦方向移動分量を検出する第２のローラー１２７と、第１のローラー１２５と同軸で、第１のローラー１２５が回転する際にその回転を受ける第１の歯車１３０と、第２のローラー１２７と同軸で、第２のローラー１２７が回転する際にその回転を受ける第２の歯車１３２と、第１のローラー１２５と第２のローラー１２７とともにこのボール１２３を押さえ、ボール１２３を同一の位置で転動するアシストローラー１２９と、第３の歯車１１７と第１の歯車１３０を噛み合わせ、第１のローラー１２５の回転エネルギを電力に変換する第１の発電装置１１５と、第４の歯車１２１と第２の歯車１３２を噛み合わせる第２の発電装置１１９と、第１の発電装置１１５と第２の発電装置１１９の電力を蓄積する蓄電装置１３１とを含む。
【０００４】
前記従来の技術は、以下のような欠点を有する。
１．発電機は歯車より動かされ、歯車に負担がかかり、マウスを操作する際に別途の力で発電機が要するエネルギを提供する必要がある。
２．このワイヤレスマウスでは、両組の発電装置が全体の重量を増やすだけでなく、操作上の不便さ且つ手腕の負担となる。一組の発電装置だけであれば、歯車が受ける力のバランスが取れなくなる。
【０００５】
そのため、以上のように、前記従来の発電及び蓄電出来るワイヤレスマウスは、実際の使用上に明らかに不便や欠点が存在し、改善する必要があることが分かる。
【０００６】
【特許文献１】米国特許第６６８６９０３号公報
【発明の開示】
【発明が解決しようとする課題】
【０００７】
本発明は、自分自身移動の際に発生するエネルギで、自家発電及び蓄電して要するエネルギを供給して、環境保護の要求に応じるワイヤレスマウスを提供することを目的とする。
【０００８】
本発明は、ユーザに別途の負担を増加させないことを前提として、ユーザがマウスを移動するエネルギを電力に変換することを充分に利用し、ワイヤレスマウスに発電及び蓄電の機能を持たせるワイヤレスマウスを提供することをもう一つの目的とする。
【課題を解決するための手段】
【０００９】
前記の目的を達成するために、本発明のワイヤレスマウスは、ケーシングと制御装置と充電電池と発電装置とを含む。この制御装置は、このケーシング内に設けられ、この制御装置は、このケーシングの位置を検出し電子信号を発生するコントローラーと、この電子信号を無線信号に変換するコンバータと、この無線信号を発信するアンテナとを含む。この充電電池はこのケーシング内に設けられ電力をこの制御装置に供給する。この発電装置はこのケーシング内に設けられ、この発電装置は電気的にこの充電電池に接続するリニア発電機を備える。
【００１０】
以下に添付図面を参照しながら、本発明の具体的な実施の形態を詳細に説明するが、それらの説明と図面に開示される具体的な構成は本発明の主張範囲を狭義的に限定するものでないことは言うまでもないことである。
【発明を実施するための最良の形態】
【００１１】
図２及び図３は本発明のワイヤレスマウスを示す斜視図及び構成ブロック図である。本発明のワイヤレスマウス１００は、コンピューターのディスプレイ上のカーソルの移動を制御するためのものであり、好ましい実施例では、ケーシング１と制御装置２と充電電池３と発電装置４とを含む。
ケーシング１はユーザに手持ちされワイヤレスマウス１００を移動するためのもので、通常、多数のボタン及びホイールが設けられるが、本発明は本実施例に於いて示す外観に限定されるものではない。
【００１２】
この制御装置２はこのケーシング１内に設けられ、通常、回路基板（図示せず）に設けられる。その機能はワイヤレスマウス１００の移動状況を検出して対応する信号を発生し、コンピューターに転送する。この制御装置は、コントローラー２２とコンバータ２４とアンテナ２６とスイッチユニット２８とを含む。
コントローラー２２はこのケーシング１の位置を検出して電子信号を発生し、続いて、この電子信号をこのコンバータ２４に転送し、このコンバータ２４はこの電子信号を受信して無線信号に変換し、この無線信号をアンテナ２６に転送してコンピューターの受信器に発信する。
【００１３】
さらに、詳しく説明すると、コントローラー２２は検出ユニット２２２及び符号化ユニット２２４を備える。この検出ユニット２２２は機械式検出ユニット或いは光学検出ユニット、例えば、符号化ローラーや光学格子装置或は画像センサーでよい。その機能はワイヤレスマウス１００の移動を検出して、検出したデータをこの符号化ユニット２２４に転送する。この符号化ユニット２２４の機能は、検出ユニット２２２或はスイッチユニット２８より転送してきたデータをサンプリングして符号化させる。
【００１４】
このコンバータ２４の機能は、符号化ユニット２２４より符号化した電子信号を無線転送協定に応じる規格、例えば、赤外線、ブルートゥースなどの無線信号に変換して、さらにアンテナ２６を介してコンピューターに発信する。このスイッチユニット２８はこのケーシング１のボタン下方のスイッチに接続する。
【００１５】
この充電電池３はこのケーシング１内に設けられ、且つこの制御装置２に接続され電力をこの制御装置２に供給する。
【００１６】
この発電装置４はこのケーシング内１に設けられ、この発電装置４は、電気的にこの充電電池３に接続するリニア発電機４２と、整流器４４と、レギュレータ４６とを備える。
本実施例では、このリニア発電機４２は、巻き線状のコイル４２２と、コイル４２２に摺動可能に設けられるプレート状の磁石４２４とを含む。磁石４２４は周囲に磁界を供給し、この磁石４２４をこのコイル４２２上にスライドする際に、コイル４２２の磁束が変量するため、このコイル４２２内に誘導電位（電圧）を発生して誘導電流を発生させる。
好ましい実施例内のリニア発電機は例示であるが、この磁石４２４がこのコイル４２２上に移動ことを確保するために、コイル４２２の両側にガイド装置、例えば、ガイドレールを設置できる。さらに、コイル４２２の両端に衝撃防止装置、例えば、磁石或は振動吸収部材を設置できる。
【００１７】
この発電装置４の整流器４４はリニア発電機４２に電気的に接続され、この整流器４４は主にダイオードより構成され、誘導電流が充電電池３のカソードに流れることを阻止し、誘導電流を充電電池３のアノードに流して充電させる。
本実施例では、整流器４４はブリッジ整流器であるが、それに限定されるものではない。
【００１８】
この発電装置４のレギュレータ４６は、電圧を安定させるためのもので、その一端は整流器４４に電気的に接続され、他端は充電電池３に電気的に接続される。
本実施例では、レギュレータ４６は、抵抗器４６２とコンデンサー４６４を含み、その中では、抵抗器４６２の一端は整流器４４に接続され、他端は充電電池３に接続され、また、コンデンサー４６４の一端は整流器４４に接続され、他端はグランドに接続される。
【００１９】
本発明は、マウス自身移動の際に発生するエネルギで、自家発電及び蓄電し必要とするエネルギを供給して、環境保護の要求に応じることができる。ユーザがこのワイヤレスマウスを操作する際に、常に左右移動するため、このリニア発電機４２の磁石４２４がこのコイル４２２上に移動することになるので、誘導電流を発生して発電できる。
本発明は、電磁誘導の原理によって、常に電池を充電でき、繰り返し電池を交換する必要が無く、ワイヤレスマウスの使用時間を有効に増加できる。無論、本発明のワイヤレスマウスは、従来の充電方式を合せて使用しても良い、ユーザに従来の方式を選んでもらって充電することができる。
【００２０】
一方、本発明のリニア発電機は、ローラーの抵抗に増加することはなく、ユーザに別途の負担を増加することはない。その構成はユーザがマウスを移動する際のエネルギを充分に利用して、それを電力に変換し、ワイヤレスマウスに発電及び蓄電する機能を与える。
【図面の簡単な説明】
【００２１】
【図１】従来の技術の発電及び蓄電出来るワイヤレスマウスの内部を示す構成図である。
【図２】本発明のワイヤレスマウスを示す斜視図である。
【図３】本発明のワイヤレスマウスの構成のブロック図である。
【図４】本発明の発電機の回路を示す図である。
【符号の説明】
【００２２】
１００：ワイヤレスマウス
１：ケーシング
２：制御装置
３：充電電池
４：発電装置
２２：コントローラー
２４：コンバータ
２６：アンテナ
２８：スイッチユニット
４２：リニア発電機
４４：整流器
４６：レギュレータ
２２２：検出ユニット
２２４：符号化ユニット
４２２：コイル
４２４：磁石
４６２：抵抗器
４６４：コンデンサー
【図１】
2006340453.tif 000003
【図２】
2006340453.tif 000004
【図３】
2006340453.tif 000005
【図４】
2006340453.tif 000006